(57)【要約】【課題】検査対象施設内に施設される電気配線（常時回路、省エネ回路、又は三路回路）に対応して接続される複数のプラグ受けに対して、より簡便に電源供給の確認作業が容易な電源供給検査装置を提供する。【解決課題】  上記課題を解決するための本発明の一観点に係る電源供給検査装置は、常時回路入力部材と、省エネ回路入力部材と、三路回路入力部材と、前記常時回路入力部材、省エネ回路入力部材、及び、前記三路回路入力部材による入力に基づき通電確認を行う通電確認部と、を備える。【選択図】図１
2020188534.tif 000002
【特許請求の範囲】
【請求項１】
常時回路入力部材と、
省エネ回路入力部材と、
三路回路入力部材と、
前記常時回路入力部材、省エネ回路入力部材、及び、前記三路回路入力部材による入力に基づき通電確認を行う通電確認部と、を備える電源供給検査装置。
【請求項２】
外部試験接続部材を有する請求項1記載の電源供給検査装置。
【請求項３】
前記通電確認部は、
前記外部試験接続部材が、前記常時回路入力部材及び前記省エネ回路入力部材のうちのいずれかを選択して前記通電確認部に電気的に接続させるための回路選択部を備える請求項１記載の電源供給検査装置。
【請求項４】
前記常時回路入力部材と前記省エネ回路入力部材は、色、文字、図形、記号及び形状の少なくとも一部が異なっており、外観において区別可能である請求項１記載の電源供給検査装置。
【発明の詳細な説明】
【技術分野】
【０００１】
本発明は、電源供給検査装置に関する。具体的には、複数のプラグ受けが備えられた室内において、これら複数のプラグ受けそれぞれに対して適切に電源供給が行われているかについて通電確認を行うことができる電源供給検査装置に関する。
【０００２】
一般に電気機器は電源の供給を受けて動作する。この電源の供給は、一般に、電気機器に設けられる差込プラグを、室内等に設けられるプラグ受け（例えばコンセント）に挿入し、電源と電気機器とを電気的に接続することによって行われる。なお、通常のプラグ受けは常時電源が供給可能な状態となっている。すなわち、いわゆる常時回路に接続されている。
【０００３】
ところが、近年、ホテルの客室、病院の病室、老人保健施設の居室等では、省エネを主たる目的として、複数のコンセント（プラグ受け）を設ける一方、それぞれにおいて接続する回路を異ならせている場合がある。具体的には、一部のプラグ受けは常時回路に、他の一部のプラグ受けは省エネ回路に接続する場合がある。ここで省エネ回路とは、所定の状況下で電源に接続することができ、それ以外の状況下では電源から隔離された状態を実現することのできる回路である。より具体的な例をもって説明すると、例えばホテルの客室では、常時電源を供給することができるコンセントを設ける一方、客が室内に入る際、カードキーをカード挿入スロットに挿入した状況で初めて使用することができるコンセントを設ける場合がある。
【０００４】
そして、上記の記載から明らかなように、この電源供給を実現するためには、上記常時回路、省エネ回路を確実に構成するよう電気配線を接続していかなければならず、竣工引渡し前やリフォーム時等に通電確認・動作確認・配線確認作業が必要となる。
【０００５】
この確認作業を実現するために、例えば下記非特許文献１等で例示される検査装置（コンテスター）等が市販されている。
【先行技術文献】
【非特許文献】
【０００６】
【非特許文献１】神保電器株式会社配線器具総合カタログ２０１８−２０１９，１６４頁
【発明の概要】
【発明が解決しようとする課題】
【０００７】
確かに上記検査装置を用いることで確認作業を行うことができる。しかしながら、上記検査装置は一つのプラグ受けに対して一つ挿入することを前提とするものであって、室内に設けられる複数のプラグ受けに対して一度に適用することはできない。そのため、複数のプラグ受けがある場合はそのそれぞれにおいて差込プラグ部分を抜き差ししなければならないといった課題がある。これは非常に手間がかかり労力を要するものであり、差し忘れ等のチェックミスも生じやすくなるといった課題もある。
【０００８】
そこで、本発明は上記課題に鑑み、複数のプラグ受けに対しても、より簡便に電源供給の確認作業が容易な電源供給検査装置を提供することを目的とする。
【課題を解決するための手段】
【０００９】
上記課題を解決するための本発明の一観点に係る電源供給検査装置は、常時回路入力部材と、省エネ回路入力部材と、三路回路入力部材と、この常時回路入力部材、省エネ回路入力部材及び三路回路入力部材による入力に基づき通電確認を行う通電確認部と、を備えるものである。
【発明の効果】
【００１０】
以上、本発明によって、複数のプラグ受けに対しても、より簡便に電源供給の確認作業が容易な電源供給検査装置を提供することができる。
【図面の簡単な説明】
【００１１】
【図１】実施形態に係る電源供給検査装置の概略図である。
【図２】実施形態に係る電源供給検査装置の電気ケーブルの例の一例を示す図である。
【図３】実施形態に係る電源供給検査装置及び検査対象の配線の等価回路の概略を示す図である。
【図４】実施形態に係る電源供給検査方法の筐体表面における通電確認部の一例を示す図である。
【図５】実施形態に係る電源供給検査方法の流れのイメージを示す図である。
【発明を実施するための最良の形態】
【００１２】
以下、本発明の実施形態について図面を用いて詳細に説明する。ただし、本発明は多くの異なる形態による実施が可能であり、以下に示す実施形態、実施例に記載の例示にのみ限定されるわけではない。
【００１３】
（検査装置）
図１は、実施形態に係る電源供給検査装置（以下「本装置」という。）１の概略を示す図である。本図で示すように、本装置１は、常時回路入力部材２と、省エネ回路入力部材３と、三路回路入力部材４と、上記常時回路入力部材２、省エネ回路入力部材３及び三路回路入力部材４による入力に基づき常時回路の通電確認を行う通電確認部５と、外部試験接続部材６と、を有するものである。また、本装置１では、少なくとも上記通電確認部５を収容する又は保持するための筐体７を備えて構成されている。
【００１４】
本装置１は、検査対象となる施設（以下「検査対象施設」という。）内に施設される電気配線（常時回路、省エネ回路、又は三路回路）に接続されて設けられる複数のプラグ受けに、上記常時回路入力部材２、省エネ回路入力部材３、及び三路回路入力部材４のいずれかを挿入して電気的に接続させ、通電の確認及び外部試験装置による外部試験を可能とする。具体的な構造及びその機能については以下説明する。
【００１５】
ここで、検査対象施設は、複数のプラグ受けを備えている限りにおいて限定されるわけではないが、少なくとも常時回路及び省エネ回路が配置された施設をいい、具体的には、建物全体、この建物内の区切られた空間を意味する。より具体的にはホテル、病院、老人保健施設等の建物内全体、その客室、病室、居室等を意味し、本装置１はその施設内に張り巡らされた配線を検査対象とする。
【００１６】
また、検査対象施設内におけるプラグ受けは、いわゆるコンセントであることが一般的なものであるため好ましいが、差込プラグを差し込むことができる構成である限り、コネクタボディ、マルチタップ等であってもよく、その構成は限定されない。
【００１７】
まず本装置１において、常時回路入力部材２は、検査対象施設内のプラグ受けに接続される常時回路配線と通電確認部５とを電気的に接続可能とするための部材である。常時回路入力部材２の構造は、上記機能を有する限りにおいて限定されるわけではないが、具体的には、本体ケーブル２１と、この先端に設けられる差込プラグ２２を有する電気ケーブルであることが好ましい一例である。このようにすることで、一般的なプラグ受けと差込プラグの関係を形成でき、取り扱いが容易となる。なお、常時回路入力部材２の対象とする常時回路とは、省エネ回路と区別される回路であって、省エネ回路とは異なり、スイッチ等によって施設内の回路全体のオンオフは制御されず常時電源を供給できる回路をいう。
【００１８】
また、上記常時回路入力部材２は、本装置１において通電確認部５と一体に接続されて構成されていてもよいが、常時回路入力部材２が電気ケーブルの場合、電気ケーブルが通電確認部５から分離可能となっていることも好ましい。この場合のイメージを図２に示しておく。この構成の場合、具体的には、電気ケーブルの本体ケーブル２１の他方の先端にプラグ受け（コネクタボディ）２３を設けて分離可能なものとしておく一方、これに差し込むための差込プラグ（インレット等）２４を筐体７に固定して設けておくことで、ケーブルを筐体７から分離させることができるようになる。このようにしておくことで、使用者は筐体７及びこれに収容又は固定される部材と、差込プラグ等が付されたケーブルを別に持ち運ぶことが可能となり非常に便利である。もちろん、本装置１を販売する場合、筐体７及びこれに収容又は固定される差込プラグ（インレット）のみを販売し、電気ケーブルは市販されているものを用いるようにすることも可能である。
【００１９】
また、本装置１において、常時回路入力部材２は、複数設けられていることが好ましい。このようにすることで、検査対象施設内に常時回路に接続された複数のプラグ受けが存在した場合でも一度に対応することができるといった利点がある。なお、複数設ける場合、この数としては限定されるわけではないが２以上１０以下であることが好ましい。
【００２０】
なお、本装置１において、常時回路入力部材２の一つは、本装置１の動作を確保するための電源としても機能するよう構成されていることも好ましい。このようにすることで、検査と電源供給を一度に行うことができるといった利点がある。
【００２１】
また本装置１において、省エネ回路入力部材３は、検査対象施設内のプラグ受けに接続される省エネ回路配線と通電確認部５とを電気的に接続を可能とするための部材である。省エネ回路入力部材３の構造は、上記機能を有する限りにおいて限定されるわけではないが、上記常時回路入力部材２と同様の構成を採用することができる。具体的には、本体ケーブル３１と、この先端に設けられる差込プラグ３２を有する電気ケーブルであることが好ましい。このようにすることで、一般的なプラグ受けと差込プラグの関係を形成でき、取り扱いが容易となる。またここで、省エネ回路入力部材３の対象とする省エネ回路とは、上記と同様、施設内に張り巡らされた配線によって構成される電気回路であって、上記常時回路と区別される回路であり、常時回路とは異なり、スイッチ等によって回路全体のオンオフが制御され、このスイッチ等の操作によりオン状態となった場合に施設内に電源供給ができる回路をいう。なおこのスイッチは、例えばホテル等の施設の場合、カードソケットとカードキーとの組とし、カードソケットにカードキーを挿入した場合にのみ施設（例えばホテルでいえば部屋）内に電源を供給できる状態とする構成等が一般的に用いられている。
【００２２】
また、上記省エネ回路入力部材３は、本装置１において通電確認部５と一体に接続されて構成されていてもよいが、上記常時回路入力部材２と同様に、省エネ回路入力部材３が先端に差込プラグ３２を有する電気ケーブルの場合、更に、電気ケーブルが通電確認部５から分離可能となっていることも好ましい。この場合のイメージは上記図２と同様である。この構成の場合、具体的には、本体ケーブル３１の他方の先端にプラグ受け（例えばコネクタボディ）を設けて分離可能な電気ケーブルとしておく一方、これに差し込むための差込プラグ（インレット）を筐体７に固定して設けておくことで、電気ケーブルを筐体７から分離させることができるようになる。このようにしておくことで、使用者は筐体７及びこれに収容又は固定される部材と、差込プラグ等が付された電気ケーブルを別に持ち運ぶことが可能となる。もちろん、本装置１を販売する場合、筐体７及びこれに収容又は固定される部材（インレット）のみを販売し、ケーブルは市販されているものを用いるようにすることも可能である。
【００２３】
また本装置１において、省エネ回路入力部材３は、上記常時回路入力部材２と同様に、複数設けられていることが好ましい。このようにすることで、検査対象となる施設内に省エネ回路に接続された複数のプラグ受けが存在した場合でも一度に対応することができるといった利点がある。なお、複数設ける場合、この数としては限定されるわけではないが２以上１０以下であることが好ましい。
【００２４】
また本装置１において、常時回路入力部材２と省エネ回路入力部材３は一目で見て区別ができるよう全体又は一部の色、文字、図形、記号及び形状の少なくともいずれかが異なっていることが好ましく、具体的には、限定されるわけではないが、常時回路入力部材２と省エネ回路入力部材３の少なくとも一部が色分けされていることがより簡便に区別できる観点から好ましい。このようにすることで、本装置の使用者は、いずれを常時回路のプラグ受けに接続するべきか、省エネ回路のプラグ受けに接続するべきかを容易に判定することが可能となる。もちろん、上記の他、常時回路入力部材２には常時回路に接続すべきケーブルである旨の文字、図形、記号などの表記、省エネ回路入力部材３には省エネ回路に接続すべきケーブルである旨の文字、図形、記号などの表記をそれぞれ行っておくことも好ましい。また、差込プラグ表面の形状を異ならせておくことも好ましい。
【００２５】
また、本装置１において、常時回路入力部材２及び省エネ回路入力部材３がそれぞれ複数設けられている場合、上記に加え、そのそれぞれに番号を付する等の文字、図形、記号等の識別符号を付しておくことが好ましい。このようにすることで、同じ回路に入力される場合であっても、そのそれぞれを区別することが可能となり、回路入力部材（具体的には電気ケーブル）毎に異常の有無を一目で判断できるようになるといった利点がある。
【００２６】
また本装置１において、三路回路入力部材４は、検査対象施設内のプラグ受けに接続される三路回路配線と通電確認部５とを電気的に接続を可能とするための部材である。三路回路入力部材４の構造は、上記機能を有する限りにおいて限定されるわけではないが、上記常時回路入力部材２と同様の構成を採用することができる。具体的には、本体ケーブル４１と、この先端に設けられる差込プラグ４２を有する電気ケーブル（以下「第一のケーブル」という。）であることが好ましい。このようにすることで、プラグ受けと差込プラグの関係を形成でき、取り扱いが容易となる。ここで三路回路とは、常時回路及び省エネ回路とは区別される回路ではあるが、その源は常時回路及び省エネ回路に接続されて電源の供給を受けるものである。具体的には、上記常時回路及び省エネ回路に接続された三路スイッチ（施設の壁等に設置される三路スイッチ）と、この三路スイッチに接続される三路配線を備え、この配線に接続される三路回路用プラグ受けを備える。本装置の例では一例として、省エネ回路の電源供給を受ける例で説明する。なお、三路回路入力部材の差込プラグ形状は、上記常時回路入力部材等の差込プラグ形状と一般には大きく異なるものであるため、第一のケーブルでは、他に明確な区別がなくとも差込プラグ形状のみで判断が容易ではある。
【００２７】
また、上記三路回路入力部材４は、本装置１において通電確認部５と一体に接続されて構成されていてもよいが、上記常時回路入力部材２と同様、三路回路入力部材４が本体ケーブル４１と、この先端に設けられる差込プラグを備える電気ケーブルの場合、更に、電気ケーブルが通電確認部５から分離可能となっていることも好ましい。この場合のイメージは上記図２と同様である。この構成の場合、具体的には、電気本体ケーブル４１の他方の先端に差込プラグ（コネクタボディ）を設けて分離可能な電気ケーブルとしておく一方、これに差し込むためのインレットを筐体７に固定して設けておくことで、ケーブルを筐体７から分離させることができるようになる。このようにしておくことで、使用者は筐体７及びこれに収容又は固定される部材と、差込プラグ等が付されたケーブルを別に持ち運ぶことが可能となる。もちろん、本装置１を販売する場合、筐体７及びこれに収容又は固定される部材（インレット）のみを販売し、ケーブルは市販されているものを用いるようにすることも可能である。
【００２８】
ところで、本装置１では、上記本体ケーブル４１及び差込プラグ４２を有する第一のケーブルの他、本体ケーブル４３及び差込プラグ４４を備える第二の電気ケーブルを備えていることが好ましい。一般に、三路回路においては、施設内に設けられる三路スイッチ（例えば壁掛けスイッチ）だけでなく、この電源供給を受けて稼働する電化製品に設けられる三路スイッチによってもオンオフ可能である。すなわち、三路回路の場合、三路回路特有の三路回路用プラグ受けだけでなく、上記常時回路等と同様の形状のプラグ受けも存在する。そのため、この三路回路入力部材４には、これらプラグ受けに差し込むための差込プラグを備えた第二の電気ケーブルが含まれていることが好ましい。なお、この接続関係については後述するが、この第二の電気ケーブルは、下記通電確認部５の三路回路用電確認灯５３に接続されていることが好ましい。また、この第二の電気ケーブルについても、上記第一の電気ケーブルと同様、筐体７と分離可能となっていることが好ましい。
【００２９】
また本装置１において、三路回路入力部材４の組（第一のケーブルと第二のケーブルの組をいう）は、上記常時回路入力部材２と同様に、複数設けられていることが好ましい。このようにすることで、検査対象となる施設内に省エネ回路に接続された複数のプラグ受けが存在した場合でも一度に対応することができるといった利点がある。なお、複数組設ける場合、この数としては限定されるわけではないが２以上５以下であることが好ましい。なお、三路回路入力部材を複数設ける場合、それぞれの接続を明確にするため、上記常時回路入力部材と同様、番号等の区別可能な文字や図形等を付しておくことが好ましい。
【００３０】
また本装置１において、三路回路入力部材４も、常時回路入力部材２及び省エネ回路入力部材３と一目で見て区別ができるよう、色、文字、図形、記号及び形状の少なくともいずれかが異なっていることが好ましく、少なくとも一部が色分けされていることがより簡便に区別できる観点から好ましい。このようにすることで、装置使用者は、いずれを三路回路のプラグ受けに接続するべきかを容易に判定することが可能となる。
【００３１】
なお、本装置１における三路回路入力部材４は、使用を想定する検査対象施設内において設けられていない場合は予め省略することも可能ではある。
【００３２】
また本装置１において、通電確認部５は、上記の通り、常時回路入力部材２、省エネ回路入力部材３、及び三路回路入力部材４の入力に基づき省エネ回路の通電確認を行うことができるものである。図３に、通電確認部５及び施設内に張り巡らされる回路の等価回路図について示しておく。なお、本図に示される本装置１の等価回路は、電気的な接続等を実現することができる限りにおいて限定されないが、例えば絶縁性の基板に、導電性の金属配線をプリントして電気回路を形成するいわゆるプリント基板を用いて実現することが簡便であり好ましい一例である。
【００３３】
この通電確認部５の配線の接続関係としては、上記機能を有する限りにおいて限定されるわけではないが、上記図で示すように、常時回路入力部材２に対応して設けられる常時回路用通電確認灯５１、省エネ回路入力部材３に対応して設けられる省エネ回路用通電確認灯５２、三路回路入力部材４に対応して設けられる三路回路用通電確認灯５３、を有して構成されていることが好ましい。このように通電確認灯を設けることで、検査対象施設内の配線がしっかりとなされて通電されているか否かを発光の有無だけで一目で確認することができる。また、三路回路用には、配線が電源の切り替えを適切に行えるか確認するための三路スイッチ５４を備えていることが好ましい。
【００３４】
また、上記の記載からも明らかなように、常時回路入力部材２、省エネ回路入力部材３、三路回路入力部材４がそれぞれ複数設けられている場合は、そのそれぞれに対応して複数の通電確認灯、三路スイッチが設けられていることが好ましい。この場合の筐体７の表面イメージを図４に示しておく。なおこの場合において、常時回路用、省エネ回路用、三路回路用においては、回路毎に灯の色を変えておくこともより分かりやすくする観点から好ましい。
【００３５】
また本装置１において、通電確認部５には、電圧計又は電流計等の測定器５６を備えていることも好ましい。これらを備えさせることで、通電だけではなくその供給する電源に異常があるか否かも定量的に確認することが可能となる。
【００３６】
なお本装置１の通電確認部５において、特に三路回路入力部材４の上記通電確認灯５３近傍には、上記の通り、更に三路スイッチ５４が設けている。これは、三路回路に接続される配線においては検査対象施設内及び接続される電化製品にそれぞれ三路スイッチが設けられており、これを操作することで検査対象施設内（より具体的には室内の電化製品）の電源供給をオンまたはオフにすることができるため、通電確認部５にもこれと同様の三路スイッチを配置することで、そのスイッチを直接操作しにいくために移動しなくてもこの操作のみで動作確認することが可能となるようにするためである。なお、三路スイッチ５４は上記第一のケーブルに、上記三路回路用通電確認灯５３は上記第二のケーブルによって電気的に接続される関係となっている。
【００３７】
また、本装置１の通電確認部５は、限定されるわけではないが、常時回路入力部材２及び省エネ回路入力部材３のうちのいずれかを選択して、上記測定器及び外部試験接続部材６の少なくともいずれかと電気的に接続させるための回路選択部材５５を備えることが好ましい。このようにすることで、特定の配線を特定してその配線の通電状況を確認及び試験することができる。また、常時回路入力部材２、省エネ回路入力部材３及び三路回路部４がそれぞれ複数設けられている場合は、更に、そのいずれか一つの配線を選択できるようにしておくことが好ましい。なお、回路選択部材の構成としては、特に限定されるわけではないが、いわゆるリレースイッチであることが好ましい一例である。
【００３８】
また本装置１において、外部試験接続部材６は、本装置１で実行できる検査以外の項目、すなわち外部試験を行うために外部試験装置と接続するために用いられる部材である。また、上記の通り、外部試験接続部材６は、通電確認部５によって選択された配線の異常の有無を確認することができる。
【００３９】
一般に外部試験装置としては、限定されるわけではないが、いわゆるコンテスターや、Ｎ−Ｅテスタ―を例示することができる。これらは市販されているものであり、これらを挿入することができる外部試験接続部材６を設けることで、従来の試験を同様に行うことができるとともに、わざわざ検査対象施設内の各プラグ受けに対して抜き差ししていく作業を省略することができる。
【００４０】
なお、この外部試験接続部材６の構造としては特に限定されるわけではないが、検査対象施設内のプラグ受けと同様の構成であることが好ましい。またこの場合において、外部試験接続部材６は、複数設けられていることが好ましい。このようにすることで、接続する外部試験装置を異なる種類であっても一度に接続することが可能となる。
【００４１】
そして、本装置１において、筐体７は、上記各要素を安定的に保持するべく、少なくとも上記通電確認部５を収容又は保持することができるものである。この材質については特に限定されるわけではないが、樹脂又は金属で構成されていることが装置の強度を確保する観点から好ましい。
【００４２】
（検査方法）
ここで、上記説明した本装置１に基づき、具体的な電源供給に関する検査方法を説明する。
【００４３】
まず、検査対象となる施設内のブレーカーをＯＦＦ状態とし、検査対象施設内に本装置１を持ち込み、常時回路入力部材２、省エネ回路入力部材３、三路回路入力部材４をそれぞれの検査対象となるプラグ受けに挿入し、検査対象施設内の配線と接続する。また、外部試験接続部材６に外部試験装置を接続し、試験可能な状態とする。なお、この接続において、常時回路入力部材２の一つが本装置１の電源供給用でもある場合、予め当該プラグ受けに外部試験装置でこの配線の異常の有無を予め確認しておくことは好ましい。
【００４４】
そして、使用者は、ブレーカーをＯＮ状態にし、省エネ回路の施設内スイッチ、具体的にはカードキー等を差し込んだ状態又は抜いた状態にして、通電確認部５を操作し、各回路における配線を特定しながら外部試験装置を動作させることで各配線の施設状況について確認する。具体的には、通電確認灯の点灯の有無の確認や、通電確認部５に設けられる回路選択部材５５による操作により外部試験装置や測定器を動作させてその異常の有無を確認し、更には、三路スイッチ５４を操作してその通電確認灯の点灯の有無を確認する。これにより、検査対象施設内全体の異常の有無を確認することができるようになる。なお、この場合の検査の方法の流れのイメージを図５に示しておく。
【００４５】
以上、本発明によって、複数のプラグ受けに対しても、より簡便に電源供給の確認作業が容易な電源供給検査装置を提供することができる。具体的には、本装置を用いることで、複数の種類及び数の回路の接続の異常を一度かつ一ヵ所で確認することが可能であり、非常に簡便な装置となる。
【００４６】
なお、本実施形態では、市販されている外部試験装置を活用する観点から、外部試験接続部材を有することとしているが、外部試験装置の機能を通電確認部に持たせる構成としてもよい。このようにすれば、より簡便な構成となる。
【産業上の利用可能性】
【００４７】
本発明は、電源供給検査装置として産業上の利用可能性がある。
【図１】
2020188534.tif 000003
【図２】
2020188534.tif 000004
【図３】
2020188534.tif 000005
【図４】
2020188534.tif 000006
【図５】
2020188534.tif 000007